(57)【要約】  種々の通信システムは、改良されたランダムアクセス動作から恩恵を得ることができる。例えば、特定の実施形態は、複数の帯域幅部が１つのセルの中でユーザ機器へ構成される改良されたランダムアクセスから恩恵を得ることができる。特定の実施形態の方法は、ユーザ機器でランダムアクセス手順をトリガーすることを含むことができる。方法は、ユーザ機器で、ランダムアクセスチャネルをサポートしない第１のアップリンク帯域幅部からランダムアクセス手順のトリガーの後でランダムアクセスチャネルが構成されている第２のアップリンク帯域幅部への切替えを含むこともできる。切替えは、ユーザ機器によって自律的に実行することができる。加えて、方法は、ユーザ機器で、第２のアップリンク帯域幅部で構成されているランダムアクセスチャネルを用いてランダムアクセス手順を実行することを含むことができる。【選択図】図１
2021503260.tif 000002
【特許請求の範囲】
【請求項１】
ユーザ機器でランダムアクセス手順をトリガーすることと、
前記ユーザ機器で、ランダムアクセスチャネルをサポートしない第１のアップリンク帯域幅部から、前記ランダムアクセス手順の前記トリガーの後に構成された前記ランダムアクセスチャネルを有する第２のアップリンク帯域幅部に切り替えることであって、前記切り替えることが前記ユーザ機器によって自律的に実行される、前記切り替えることと、
前記ユーザ機器で、前記第２のアップリンク帯域幅部で構成された前記ランダムアクセスチャネルを用いて前記ランダムアクセス手順を実行することと、
を備えている、方法。
【請求項２】
前記切り替えることは、前記ユーザ機器が、前記第１のアップリンク帯域幅部を自律的に非有効化させて前記第２のアップリンク帯域幅部を有効化させることを備える、請求項１に記載の方法。
【請求項３】
時間アライメントタイマーが満了したとみなされる、請求項１または２に記載の方法。
【請求項４】
前記時間アライメントタイマーが、前記第１のアップリンク帯域幅部と前記第２のアップリンク帯域幅部とのうちの少なくとも１つを備えている時間アライメントグループと関連付けられている、請求項３に記載の方法。
【請求項５】
前記ユーザ機器で、前記第１のアップリンク帯域幅部から前記第２のアップリンク帯域幅部への前記切替えと共にアクティブダウンリンク帯域幅部を切り替えることをさらに備えている、請求項１から４のいずれかに記載の方法。
【請求項６】
前記第１のダウンリンク帯域幅部の前記切替えは、前記トリガーされたランダムアクセス手順が競合ベースのランダムアクセス手順または競合無しのランダムアクセス手順のうちの少なくとも１つであるときに発生する、請求項５に記載の方法。
【請求項７】
前記ユーザ機器で、前記ランダムアクセス手順の一部としてネットワークエンティティから競合解決メッセージを受信することであって、前記第１のアップリンク帯域幅部または前記ダウンリンク帯域幅部のうちの少なくとも１つの前記切替えが前記競合解決メッセージの前記受信に応じて発生する、前記受信することをさらに備えている、請求項１から６のいずれかに記載の方法。
【請求項８】
前記ユーザ機器で、前記ネットワークエンティティから構成指示を受信することと、
前記構成指示に基づいて前記第２のアップリンク帯域幅部を複数の帯域幅部から選択することと、
をさらに備えている、請求項１から７のいずれかに記載の方法。
【請求項９】
前記複数の帯域幅部が単一セルの中で前記ユーザ機器に構成される、請求項８に記載の方法。
【請求項１０】
前記ユーザ機器で、前記ユーザ機器の実装、デフォルトまたは初期帯域幅部、前記ランダムアクセス手順をトリガーする論理チャネル、または前記論理チャネルの優先度のうちの少なくとも１つに基づいて、前記第２のアップリンク帯域幅部を選択することをさらに備えている、請求項１から９のいずれかに記載の方法。
【請求項１１】
前記ユーザ機器によって、数秘学または前記ランダムアクセスチャネルの周波数のうちの少なくとも１つに基づいて、前記第２のアップリンク帯域幅部を選択することをさらに備えている、請求項１から１０のいずれかに記載の方法。
【請求項１２】
前記ネットワークエンティティが一次セルまたは二次セルに含まれ得る、請求項１から１１のいずれかに記載の方法。
【請求項１３】
前記ユーザ機器が前記ランダムアクセス手順の前記トリガーの間、無線リソース制御接続状態である、請求項１から１２のいずれかに記載の方法。
【請求項１４】
前記ランダムアクセス手順の前記トリガーが、前記ユーザ機器によってビーム障害が検出された後に発生する、請求項１から１３のいずれかに記載の方法。
【請求項１５】
少なくとも１つのプロセッサと、
コンピュータプログラムコードを含んでいる少なくとも１つのメモリとを備えている装置であって、
前記少なくとも１つのメモリ及び前記コンピュータプログラムコードは、前記少なくとも１つのプロセッサによって、前記装置に、少なくとも、プロセスを実行させるように構成され、
前記プロセスは、
ランダムアクセス手順をトリガーすることと、
ランダムアクセスチャネルをサポートしない第１のアップリンク帯域幅部から、前記ランダムアクセス手順の前記トリガーの後に構成された前記ランダムアクセスチャネルを有する第２のアップリンク帯域幅部に切り替えることであって、前記切り替えることが前記装置によって自律的に実行される、前記切り替えることと、
前記第２のアップリンク帯域幅部を使用して前記ランダムアクセス手順を実行することと、
を備えている、前記装置。
【請求項１６】
前記切り替えることが前記第１のアップリンク帯域幅部を自律的に非有効化させて、前記第２のアップリンク帯域幅部を有効化させる前記装置を備える、請求項１５に記載の装置。
【請求項１７】
前記少なくとも１つのメモリ及び前記コンピュータプログラムコードが、前記少なくとも１つのプロセッサによって、前記装置に、少なくとも、
前記第１のアップリンク帯域幅部から前記第２のアップリンク帯域幅部への前記切替えと共にアクティブダウンリンク帯域幅部を切り替えさせるように構成されている、請求項１５または１６に記載の装置。
【請求項１８】
前記少なくとも１つのメモリ及び前記コンピュータプログラムコードが、前記少なくとも１つのプロセッサによって、前記装置に、少なくとも、
ネットワークエンティティから構成指示を受信させ、
前記構成指示に基づいて前記第２のアップリンク帯域幅部を複数の帯域幅部から選択させるように構成されている、請求項１５から１７のいずれかに記載の装置。
【請求項１９】
前記少なくとも１つのメモリ及び前記コンピュータプログラムコードが、前記少なくとも１つプロセッサによって、前記装置に、少なくとも、
前記装置の実装、デフォルトもしくは初期帯域幅部、前記ランダムアクセス手順をトリガーする論理チャネル、または前記論理チャネルの優先度のうちの少なくとも１つに基づいて、前記第２のアップリンク帯域幅部を選択させるように構成されている、請求項１５から１８のいずれかに記載の装置。
【請求項２０】
前記装置が前記ランダムアクセス手順の前記トリガーの間、無線リソース制御接続状態である、請求項１５から１９のいずれかに記載の装置。
【請求項２１】
少なくとも１つのプロセッサと、
コンピュータプログラムコードを含んでいる少なくとも１つのメモリとを備えている装置であって、
前記少なくとも１つのメモリ及び前記コンピュータプログラムコードは、前記少なくとも１つのプロセッサを用いて、前記装置に、少なくとも、請求項３、４、６、７、９及び１１から１４のいずれかに記載の方法を含んでいるプロセスを実行させるように構成されている、前記装置。
【請求項２２】
ハードウェアにおいて実行されると、プロセスを実行する命令によってコード化された、非一時的コンピュータ可読媒体であって、
前記プロセスは、請求項１から１４のいずれかに記載の方法を含んでいる、
前記非一時的コンピュータ可読媒体。
【請求項２３】
請求項１から１４のいずれかに記載の方法を含んでいるプロセスを実行するための手段を備えている装置。
【請求項２４】
請求項１から１４のいずれかに記載の方法を含んでいるプロセスを実行するための命令によってコード化された、コンピュータプログラム製品。
【請求項２５】
非一時的コンピュータ可読媒体に実装されており、ハードウェアにおいて実行されると請求項１から１４のいずれかに記載の方法を含んでいるプロセスを実行する命令によってコード化された、コンピュータプログラム製品。
【発明の詳細な説明】
【技術分野】
【０００１】
種々の通信システムは、改良されたランダムアクセス動作から恩恵を得ることができる。例えば、特定の実施形態は、複数の帯域幅部が１つのセルの中でユーザ機器へ構成される改良されたランダムアクセスから恩恵を得ることができる。
【背景技術】
【０００２】
ロングタームエボリューション（ＬＴＥ）及び進化型ＬＴＥ（ＬＴＥ−Ａ）などの第三世代パートナーシッププロジェクト（３ＧＰＰ）技術において、ユーザ機器（ＵＥ）は一旦ＵＥがネットワークと同期すると、ネットワークサービスにアクセスし始めることができる。ランダムアクセス手順は、通常、物理ランダムアクセスチャネル（ＰＲＡＣＨ）を介してＵＥをアップリンク方向のネットワークと同期させるために用いる。ランダムアクセス手順は、競合ベースのランダムアクセス手順または非競合／競合無しのランダムアクセス手順でもよい。
【０００３】
複数のＵＥが同時にネットワークにアクセスすることを試みるとき、競合ベースのランダムアクセス手順を用いることができる。競合ベースのランダムアクセス手順を用いて、複数のＵＥの間の潜在的衝突を解決するとともに、ＵＥをネットワークと同期させることもができる。この競合ベースのランダムアクセス手順は、ＵＥとネットワークの間に送信される４つの別々のメッセージを含むことができる。ＵＥは、ランダムアクセス無線ネットワーク一時識別子（ＲＡ−ＲＮＴＩ）を含むランダムアクセスチャネルプリアンブルを有する第１のメッセージを初めに送る。それから、ネットワークエンティティは、受信したＲＡ−ＲＮＴＩをデコードして、第２のメッセージでランダムアクセス応答を送信することによって応答する。ランダムアクセス応答は、一時セル無線ネットワーク一時識別子（Ｃ−ＲＮＴＩ）、タイミングアドバンス値及びアップリンク許可リソースを一般に含む。
【０００４】
ＵＥは、そのタイミングアドバンス値を使用してネットワークと同期して、第３のメッセージで、一時Ｃ−ＲＮＴＩを用いて、無線リソース制御（ＲＲＣ）接続要求を送信する。ＵＥは、第３のメッセージ中にランダム値または一時移動加入者識別子（ＴＭＳＩ）も含み、それをネットワークにより用いて、一時Ｃ−ＲＮＴＩが複数のＵＥに割り当てられていた場合、新規なＣ−ＲＮＴＩを決定することができる。それから、ネットワークエンティティは、新規なＣ−ＲＮＴＩを含む競合解決メッセージまたはＲＲＣ接続設定メッセージによって応答することができる。新規なＣ−ＲＮＴＩは、ＵＥが被接続ＲＲＣ状態のままの間は、ＵＥ及びネットワークエンティティの両方により用いられてデータを互いと交換する。
【０００５】
ネットワークエンティティ及びＵＥによってダウンリンクトランスミッション及びアップリンクトランスミッションの両方のために使われる、所与のセルのシステムの帯域幅は、１つ以上の帯域幅部に分割されてもよい。ペアのスペクトルに対して、ダウンリンク帯域幅部及びアップリンク帯域幅部（ＢＷＰ）は、各サービングセルのＵＥのために別個に、そしてそれぞれに構成される。ペアのスペクトルは、周波数分割複信（ＦＤＤ）を用いて上側周波数帯のスペクトルのブロックと関連付けられている下側周波数帯のスペクトルのブロックを特徴とする。一方で、時分割複信（ＴＤＤ）を利用するペアとなっていないスペクトルについては、ダウンリンクＢＷＰ及びアップリンクＢＷＰはペアとして共同して構成されるが、同じ中心周波数を共有する。
【０００６】
一次セルにおいて、例えば、ランダムアクセスチャネルは各アップリンクＢＷＰに構成することができて、各ダウンリンクＢＷＰはランダムアクセス応答のための共通サーチ空間（ＣＳＳ）を有しなければならない。一次セルのいくつかのＢＷＰがＲＡＣＨによって構成されていない場合、少なくとも、初期ＢＷＰはランダムアクセスチャネルをサポートする。３ＧＰＰ第五世代（５Ｇ）または新無線（Ｎｅｗ  Ｒａｄｉｏ，ＮＲ）技術では、スケジューリング要求の数をカウントすることができる。スケジューリング要求の数がスケジューリング要求送信最大値以上になると、ユーザ機器は、ＬＴＥまたはＬＴＥ−Ａと同様にランダムアクセス手順を開始することができる。
【発明の概要】
【０００７】
特定の実施形態によれば、装置は、コンピュータプログラムコードを含む少なくとも１つのメモリ及び少なくとも１つのプロセッサを含むことができる。少なくとも１つのメモリ及びコンピュータプログラムコードは、少なくとも１つのプロセッサによって、装置に、少なくとも、ユーザ機器でランダムアクセス手順をトリガーさせるように構成することができる。少なくとも１つのメモリ及びコンピュータプログラムコードは、少なくとも１つのプロセッサによって、装置に、少なくとも、ランダムアクセスチャネルをサポートしない第１のアップリンク帯域幅部からランダムアクセス手順のトリガーの後でランダムアクセスチャネルが構成されている第２のアップリンク帯域幅部へ切り替えさせるように構成することもできる。切替えは、装置によって自律的に実行することができる。加えて、少なくとも１つのメモリ及びコンピュータプログラムコードは、少なくとも１つのプロセッサによって、装置に、少なくとも、第２のアップリンク帯域幅部で構成されるランダムアクセスチャネルを用いてランダムアクセス手順を実行させるように構成することができる。
【０００８】
特定の実施形態の方法は、ユーザ機器でランダムアクセス手順をトリガーすることを含むことができる。方法は、ランダムアクセスチャネルをサポートしない第１のアップリンク帯域幅部からランダムアクセス手順のトリガーの後でランダムアクセスチャネルが構成されている第２のアップリンク帯域幅部へのユーザ機器での切替えを含むこともできる。切替えは、ユーザ機器によって自律的に実行することができる。加えて、方法は、ユーザ機器で、第２のアップリンク帯域幅部で構成されているランダムアクセスチャネルを用いてランダムアクセス手順を実行することを含むことができる。
【０００９】
特定の実施形態の装置は、手段がユーザ機器でランダムアクセス手順をトリガーすることを含む手段を含むことができる。装置は、ランダムアクセスチャネルをサポートしない第１のアップリンク帯域幅部からランダムアクセス手順のトリガーの後でランダムアクセスチャネルが構成されている第２のアップリンク帯域幅部へのユーザ機器での切替えのための手段も含む。切替えは、ユーザ機器によって自律的に実行することができる。加えて、装置は、ユーザ機器で、第２のアップリンク帯域幅部で構成されているランダムアクセスチャネルを用いてランダムアクセス手順を実行するための手段を含むことができる。
【００１０】
特定の実施形態によれば、装置は、ハードウェアにおいて実行されるとプロセスを実行する命令によってコード化された非一時的コンピュータ可読媒体を含むことができる。プロセスは、ユーザ機器でランダムアクセス手順をトリガーすることを含むことができる。プロセスは、ランダムアクセスチャネルをサポートしない第１のアップリンク帯域幅部からランダムアクセス手順のトリガーの後でランダムアクセスチャネルが構成されている第２のアップリンク帯域幅部へのユーザ機器での切替えを含むこともできる。切替えは、ユーザ機器によって自律的に実行することができる。加えて、プロセスは、ユーザ機器で、第２のアップリンク帯域幅部で構成されているランダムアクセスチャネルを用いてランダムアクセス手順を実行することを含むことができる。
【００１１】
特定の他の実施形態によれば、コンピュータプログラム製品は、プロセスを実行するための命令によってコード化され得る。プロセスは、ユーザ機器でランダムアクセス手順をトリガーすることを含むことができる。プロセスは、ランダムアクセスチャネルをサポートしない第１のアップリンク帯域幅部からランダムアクセス手順のトリガーの後でランダムアクセスチャネルが構成されている第２のアップリンク帯域幅部へのユーザ機器での切替えを含むこともできる。切替えは、ユーザ機器によって自律的に実行することができる。加えて、プロセスは、ユーザ機器で、第２のアップリンク帯域幅部で構成されているランダムアクセスチャネルを用いてランダムアクセス手順を実行することを含むことができる。
【００１２】
本発明の適切な理解のために、添付図面を参照しなければならない。
【図面の簡単な説明】
【００１３】
【図１】特定の実施形態によるフローチャートの例を示す。
【図２】特定の実施形態によるシステムの例を示す。
【発明を実施するための形態】
【００１４】
特定の実施形態は、ビーム障害検出を含むことができる。ビーム障害が検出されると、ＵＥはビーム回復要求を送信することができる。連続的な検出ビーム障害インスタンスの数が所与の閾値を超えると、ビーム回復要求をトリガーするかまたは開始することができる。閾値は、例えば、ブロックエラー率（ＢＬＥＲ）として定義することができる。いくつかの実施形態は、１つ以上の閾値を有することができる。複数の閾値の実施形態において、例えば、１つの閾値は同期信号ブロック（ＳＳＢ）に関するものとすることができる一方で、他方の閾値はチャネル状態情報基準信号（ＣＳＩ−ＲＳ）のためのものとすることができる。ＮＲ技術では、ネットワークエンティティ、例えば５ＧまたはＮＲ  ＮｏｄｅＢ（ｇＮＢ）は、ネットワークによってＵＥに提供されるＰＲＡＣＨシーケンスを用いて、ビーム障害回復要求からユーザ機器を固有に識別することができる。
【００１５】
ビーム障害回復のための専用のＰＲＡＣＨリソースを決定するために、ＵＥに関連した特定のパラメータを構成することができる。例えば、プリアンブルシーケンス関連のパラメータ、例えばルートシーケンス、循環シフト及び／またはプリアンブルインデックスを設定することができる。別の例では、送信の最大数、電力ランピングの最大数、ターゲット受信電力、再送信電力ランピングステップサイズ及び／またはＵＥのビーム障害回復タイマーを構成することができる。いくつかの実施形態では、専用のＰＲＡＣＨリソースパラメータを構成することもできる。例えば、周波数位置情報、時間位置及び／または関連するＳＳＢまたはＣＳＩ−ＲＳ情報である。ビーム障害起動が満たされると、ＵＥは専用のＰＲＡＣＨプリアンブルを送信してランダムアクセス手順を介してリンクを回復することができる。
【００１６】
いくつかの実施形態では、総アップリンク帯域幅部のサブセットだけが、以下ではランダムアクセスチャネル（ＲＡＣＨ）とも呼ばれるＰＲＡＣＨを介して、ランダムアクセス手順をサポートすることができる。したがって、ＵＥは、一次セル（ＰＣｅｌｌ）またはアップリンク帯域幅部のサブセット内のみの一次二次セル（ＰＳＣｅｌｌ）に向けてランダムアクセス手順を実行することに制限することができる。特定の実施形態によって、ＲＲＣ接続モードのＵＥがランダムアクセス手順のＵＥベースのトリガーを、ネットワークがこのようなイベントを知らないときに取扱うことを可能とすることができる。言い換えれば、第１のアップリンクＢＷＰと呼ばれてもよい現在のアクティブＢＷＰがランダムアクセスチャネルをサポートしない場合であっても、ＵＥは自律的にランダムアクセス手順をトリガーすることが可能となり得る。
【００１７】
例えば、ランダムアクセス手順がＵＥによってトリガーされて、現在アクティブのＢＷＰがランダムアクセスチャネルをサポートしていないとき、特定の実施形態は、ＵＥが自律的に、ランダムアクセスチャネルが構成されている第２のアップリンクＢＷＰと呼ぶことのできる別のアップリンクＢＷＰへ切り替えることを可能にしている。自律的に切替えを実行しているＵＥは、切替えがネットワークからいかなる知識または関与を受けなくても実行できることを意味することができる。現在アクティブなＢＷＰがＲＡＣＨをサポートしておらず、及び／またはＲＡＣＨのために構成されていないので、ネットワークは、ＵＥがランダムアクセス手順を開始することを試みていることを認識していない可能性がある。第１のアップリンクＢＷＰ及び第２のアップリンクＢＷＰは、異なってもよい。
【００１８】
図１は、特定の実施形態によるフローチャートの例を示す。特に、図１は、方法またはプロセスを実行しているユーザ機器の例を示す。ステップ１１０において、ＵＥは、ランダムアクセス手順をトリガーすることができる。ランダムアクセス手順は、ＲＡＣＨを介してトリガーされてもよい。ＵＥは、ランダムアクセス手順のトリガーの間、ＲＲＣ接続状態であってもよい。ステップ１５０に示すように、ＵＥは、ランダムアクセスチャネルをサポートしていない第１のアップリンクＢＷＰから、ランダムアクセスチャネルが構成されている第２のアップリンクＢＷＰへ切り替えることができる。言い換えれば、第２のアップリンクＢＷＰは、構成されたＲＡＣＨをすでに有していてもよい。
【００１９】
複数のアップリンクＢＷＰがランダムアクセスチャネルをサポートしている特定の実施形態において、ｇＮＢなどのネットワークエンティティは、ＵＥがどのアップリンクＢＷＰにおいてランダムアクセスチャネルを開始しなければならないかを決定することができる。複数のＢＷＰは、単一セルの中のＵＥに構成されてもよい。ネットワークエンティティは、例えば、ＰＣｅｌｌまたはＰＳＣｅｌｌに含まれてもよい。ネットワークエンティティは、構成指示の一部としてアップリンクＢＷＰの決定をＵＥに送信することができる。ステップ１２０に示すように、ＵＥは、ネットワークエンティティから構成指示を受信することができる。構成された指示に基づいて、ＵＥは、ステップ１３０に示すように、第２のアップリンクＢＷＰを複数のＢＷＰから選択することができる。いくつかの他の実施形態において、ＵＥは、ステップ１２０に示すように、ステップ１１０のランダムアクセス手順のトリガーの前に、ネットワークエンティティから構成情報を受信することができる。
【００２０】
他の実施形態において、別であるか第２のアップリンク帯域幅部かは、ステップ１４０に示すようにネットワークエンティティから指示された構成無しにＵＥによって決定されてもよい。例えば、第２のアップリンク帯域幅部は、数秘学及び／またはランダムアクセスチャネルの周波数のうち少なくとも１つに基づいてＵＥによって決定されてもよい。数秘学は、副搬送波スペーシングでもよい。ＮＲ技術は、複数の副搬送波スペーシングに関連した複数の数秘学オプションをサポートする。副搬送波スペーシングは、例えば、１５、３０、６０、１２０及び２４０キロヘルツ（ｋＨｚ）でもよい。ＵＥは、上記の複数の数秘学オプションのいずれか及び／またはＢＷＰによって利用される周波数に基づいて、第２のＢＷＰを決定することができる。いくつかの実施形態では、ＵＥは、少なくとも複数のＢＷＰからのデフォルトＢＷＰによって構成することができる。ＵＥは、それがデフォルトＢＷＰであるかどうかに基づいて第２のＢＷＰを決定することができる。
【００２１】
上記のように、ステップ１４０で、ユーザ機器は、第２のアップリンクＢＷＰを選択する。いくつかの実施形態では、第２のＢＷＰは、ＵＥの実装に基づいて選択されることができ、ならびに／もしくはデフォルト及び／または初期ＢＷＰに基づいて選択されてもよい。デフォルト及び／または初期ＢＷＰは、省エネルギー性などの他の目的のために構成することができて、ＲＡＣＨのためのフォールバックとして使うことができる。ＵＥの実装に基づく選択は、ＲＡＣＨを構成しているセルのＢＷＰを選択することがＵＥ実装次第であることを意味することができる。また別の実施形態において、ＵＥは、ランダムアクセス手順をトリガーする論理チャネルまたは論理チャネルの優先度に基づいて第２のＢＷＰを選択することができる。例えば、いくつかの論理チャネルは特定の副搬送波スペーシングを有するアップリンクチャネルにマップされるように制限されることができて、そのため、論理チャネルが制限される特定の副搬送波スペーシングをサポートしているＲＡＣＨを有するＢＷＰは優先することができる。
【００２２】
一旦第２のＢＷＰ部が選択されると、ステップ１４０に示すように、ユーザ機器はランダムアクセスチャネルをサポートしない第１のアップリンク帯域幅部から、ステップ１５０に示すように、ランダムアクセスチャネルが構成されている第２のアップリンク帯域幅部に機器を切り替えることができる。第１のアップリンク帯域幅部から第２のアップリンク帯域幅部への切替えは、ユーザ機器によって自律的に実行されてもよい。いくつかの実施形態では、ネットワークは、ＵＥがランダムアクセス手順を実行していることを意識することさえしなくてもよい。ステップ１５０で例示される切替えは、ＵＥが自律的に第１のアップリンクＢＷＰを非有効化させて第２のアップリンクＢＷＰを有効化させることを含むことができる。
【００２３】
特定の実施形態では、１つ以上のアップリンクキャリアは、同じアップリンクタイミングアライメントを共有することができて、同じタイミングアドバンスグループ（ＴＡＧ）の中にグループ化することができる。ＵＥがランダムアクセス手順に関連したもの以外のいかなるアップリンク信号も送信するのを防止するために、時間アライメントタイマー（ＴＡＴ）は、満了したとみなしてもよい。いくつかの実施形態では、ＴＡＴは、第１のＢＷＰ及び第２のＢＷＰを含むＴＡＧと関連付けられてもよい。言い換えれば、第１のＢＷＰ上のいかなる信号も送信することを防止するために、第１のＢＷＰ及び／または第２のＢＷＰを含むＴＡＧと関連したＴＡＴは、満了したとみなしてもよい。したがってＵＥは、第１のＢＷＰ上のいかなる信号も、それがネットワークから新規なタイミングアドバンス値を受信するまで、送信することが可能ではない。新規なタイミングアドバンス値は、時間アライメントタイマーが再び開始されるランダムアクセス手順を通して受信することができる。ＵＥが、例えば、第１のＢＷＰ上で送信することを試みることができる信号は、進行中のランダムアクセス手順を知らないネットワークエンティティからＵＥで受信されるダウンリンク割当てまたはアップリンク許可に応答したものであることができる。
【００２４】
ステップ１６０において、ＵＥは、ステップ１５０に示される第１のアップリンク帯域幅部から第２のアップリンク帯域幅部への切替えと共にアクティブダウンリンクＢＷＰを切り替えることができる。例えば、トリガーされたランダムアクセス手順が競合ベースのランダムアクセス手順であるとき、アクティブダウンリンクＢＷＰは第１のアップリンクＢＷＰから第２のアップリンクＢＷＰへの切替えと共に切り替えられる。例えば、メディアアクセス制御（ＭＡＣ）層のスケジューリング要求の最大数に達すると、競合ベースのランダムアクセス手順がトリガーされてもよい。第２のアップリンクＢＷＰと共にアクティブダウンリンクＢＷＰの切替えは、ダウンリンクＢＷＰが、ＵＥがネットワークエンティティからランダムアクセス応答を受信するのを予想しているＢＷＰに対応することができるように、実行することができる。ネットワークが受信プリアンブルからＵＥを識別することは可能でないことがあり得るので、ランダムアクセス応答は既知のダウンリンクＢＷＰで送信されることを必要とする場合がある。このようなダウンリンクＢＷＰは、ＣＳＳを有するダウンリンクＢＷＰの少なくとも１つでもよい。
【００２５】
一方で、特定の実施形態は、競合無しのランダムアクセス手順を利用することができる。このランダムアクセス手順は、例えば、ＵＥによってビーム障害が検出された後、または、ビーム回復要求がＵＥによって送信された後にトリガーさせることができる。競合無しのランダムアクセス手順では、競合ベースのランダムアクセス手順と同様に、ＵＥは第２のアップリンク帯域幅部への第１のアップリンク帯域幅部の切替えと共にアクティブダウンリンクＢＷＰを切り替えることができる。しかしながら、他の実施形態では、ＵＥは、第１のアップリンクＢＷＰが切り替えられるのに関係なく、競合無しのランダムアクセス手順の現在のダウンリンクＢＷＰを保持することができる。
【００２６】
特定の実施形態では、ＵＥが競合無しのランダムアクセス手順でダウンリンクＢＷＰを切り替えるか保持するかどうかは、ネットワークまたはその中のネットワークエンティティによって構成することができる。このような実施形態のネットワークは、受信プリアンブルからＵＥを識別してもよく、以前のダウンリンクＢＷＰで応答することが可能でもよい。ネットワークがダウンリンクＢＷＰの保持または切替えを決定するいくつかの実施形態は、ダウンリンク及びアップリンクＢＷＰが個別に構成されるかまたは切り替えられる、ペアとなったスペクトルにおいて使われてもよい。いくつかの実施形態では、以前のダウンリンクＢＷＰはＣＳＳを有することができるが、以前のダウンリンクＢＷＰのいくつかの他の実施形態では、ＢＷＰはＵＥ特有サーチ空間（ＵＳＳ）を有することができるだけである。
【００２７】
ステップ１７０において、ＵＥは、ランダムアクセス手順の一部としてネットワークエンティティから競合解決メッセージを受信することができる。競合解決メッセージは、競合ベースのランダムアクセス手順の第４のメッセージである。アップリンクＢＷＰ及び／またはダウンリンクＢＷＰのうち少なくとも１つの切替えは、ＵＥでの競合解決メッセージの受信の際に発生してもよい。いくつかの実施形態では、競合解決メッセージはＵＥのＣ−ＲＮＴＩに直接向かって送信されて、その場合には、アップリンクＢＷＰ及び／またはダウンリンクＢＷＰのうち少なくとも１つの切替えを実施することができる。ステップ１８０において、ＵＥは、第２のアップリンク帯域幅部で構成されるランダムアクセスチャネルを用いて、ランダムアクセス手順を実行することができる。述べてきた実施形態は、ＵＥがランダムアクセス手順をすでにトリガーしてしまっているときに、誤ったネットワークスケジューリングを防止するのを助ける。これはネットワークにより用いられるリソースの量を削減し、それにより、ネットワーク全体としての、またネットワークの中に含まれるネットワークエンティティの機能を高める。
【００２８】
図２は、特定の実施形態によるシステムを示す。図１の各ブロックが、ハードウェア、ソフトウェア、ファームウェア、１つ以上のプロセッサ及び／または回路などの種々の手段またはそれらの組み合わせによって実装することができることを理解すべきである。一実施形態において、システムは、例えば、ネットワークエンティティ２２０またはＵＥ２１０などのいくつかのデバイスを含むことができる。システムは２つ以上のＵＥ２１０及び２つ以上のネットワークエンティティ２２０を含むことができるが、説明目的のために１つのネットワークエンティティだけを示している。ネットワークエンティティは、ネットワークノード、アクセスノード、基地局、発展型ＮｏｄｅＢ（ｅＮＢ）、ｇＮＢ、サーバ、ホストまたは本明細書において述べられる他のアクセスもしくはネットワークノードのいずれかでもよい。
【００２９】
これらの各デバイスは、それぞれ２１１及び２２１として示される少なくとも１つのプロセッサ、制御装置またはモジュールを含むことができる。少なくとも１つのメモリが各デバイスに設けられることができて、それぞれ、２１２及び２２２として示される。メモリは、その中に収容されるコンピュータプログラム命令またはコンピュータコードを含むことができる。１つ以上のトランシーバ２１３及び２２３は設けられることができて、各デバイスはそれぞれ２１４及び２２４として例示するアンテナを含むこともできる。それぞれ１つのアンテナだけが示されているが、多くのアンテナ及び複数のアンテナ素子を各デバイスに設けてもよい。より高いカテゴリのＵＥは、複数のアンテナパネルを一般に含む。例えばこれらのデバイスの他の構成も設けることができる。例えば、ネットワークエンティティ２２０及びＵＥ２１０は、無線通信に加えて、有線通信のために追加して構成することができて、この場合には、アンテナ２１４及び２２４は、単にアンテナだけに限らず、いかなる形の通信ハードウェアも例示することができる。
【００３０】
トランシーバ２１３及び２２３はそれぞれ、無関係に、送信機、受信機もしくは送信機及び受信機の両方、または送信と受信の両方のために構成することができるユニットもしくはデバイスであってもよい。他の実施形態において、ＵＡＶまたはネットワークエンティティは、少なくとも１つの別個の受信機または送信機を有することができる。送信機及び／または受信機（無線部品が関する限り）は、デバイス自体でなく例えばマストに配置されている、リモート無線ヘッドとして実装することもできる。動作及び機能性は、ノード、ホストまたはサーバなどの異なるエンティティにおいて柔軟な方法で実行することができる。言い換えれば、分業は、ケースバイケースで変化することができる。１つのあり得る使用法は、ネットワークノードにローカルコンテンツを配信させることである。１つ以上の機能性は、サーバで実行することができるソフトウェアの仮想アプリケーション（複数可）として実装することもできる。
【００３１】
ユーザ装置またはユーザ機器は、携帯電話、スマートフォンまたはマルチメディアデバイスなどの移動局（ＭＳ）、無線通信能力を備えているタブレットなどのコンピュータ、無線通信能力を備えている個人データまたは携帯情報端末（ＰＤＡ）、無線通信能力を備えている携帯メディアプレーヤ、デジタルカメラ、ポケットビデオカメラ、ナビゲーションユニットもしくはいかなるそれらの組み合わせでもよい。他の実施形態において、ＵＥはマシンタイプ通信（ＭＴＣ）デバイスまたはモノのインターネットデバイスでもよく、それはセンサ、メーターまたはアクチュエータのように人間のインタラクションを必要としなくてもよい。図１に示される方法及び／またはプロセスは、ユーザ機器２１０によって実行することができる。
【００３２】
いくつかの実施形態では、装置、例えばユーザ機器２１０またはネットワークエンティティ２２０は、図１に関して上記の実施形態を実行するための手段を含むことができる。特定の実施形態では、コンピュータプログラムコードを含んでいる少なくとも１つのメモリは、少なくとも１つのプロセッサによって、装置に、少なくとも本明細書において記載されているプロセスのいずれかを実行させるように構成することができる。装置は、例えば、ユーザ機器２１０またはネットワークエンティティ２２０でもよい。
【００３３】
プロセッサ２１１及び２２１は、中央演算処理装置（ＣＰＵ）、デジタルシグナルプロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル的拡張回路または相当するデバイス、またはそれらの組み合わせなどの、いかなる計算またはデータ処理装置によっても実施することができる。プロセッサは、単一のコントローラまたは複数のコントローラまたはプロセッサとして実装することができる。
【００３４】
ファームウェアまたはソフトウェアのために、実装は、少なくとも１つのチップセットのモジュールまたはユニット（例えば、手順、関数など）を含むことができる。メモリ２１２及び２２２は、それぞれに任意の適切な記憶装置、例えば非一時的コンピュータ可読媒体であってもよい。ハードディスクドライブ（ＨＤＤ）、ランダムアクセスメモリ（ＲＡＭ）、フラッシュメモリまたは他の適切なメモリが用いられてもよい。メモリは、プロセッサとして単一の集積回路に結合してもよく、または、そこから分離していてもよい。さらに、コンピュータプログラム命令は、プロセッサによって処理することができるメモリに保存されてもよく、任意の適切な形のコンピュータプログラムコード、例えば、任意の適切なプログラミング言語で書き込まれているコンパイルされたか翻訳されたコンピュータプログラムであり得る。メモリまたはデータ記憶実体は、通常は内蔵しているが、例えば追加の記憶容量がサービス提供者から取得される場合には、外付けまたはそれらの組み合わせであってもよい。メモリは、固定式でもよく、または、着脱可能でもよい。
【００３５】
メモリ及びコンピュータプログラム命令は、特定のデバイス用のプロセッサによって、ネットワークエンティティ２２０またはＵＥ２１０などのハードウェア装置に上記のプロセスのいずれか（例えば、図１参照）を実行させるように構成することができる。したがって、特定の実施形態で、非一時的コンピュータ可読媒体は、ハードウェアにおいて実行されるときにプロセス、例えば本明細書において記載されているプロセスの１つを実行することのできる、コンピュータ命令または１つ以上のコンピュータプログラム（例えば追加されたか更新されたソフトウェアルーチン、アプレットまたはマクロ）によってコード化することができる。コンピュータプログラムはプログラミング言語によってコード化することができ、それは高水準プログラミング言語、例えば対物−Ｃ、Ｃ＋＋、Ｃ＃、Ｊａｖａなど、または低水準プログラミング言語、例えばマシン語またはアセンブラでもよい。あるいは、特定の実施形態は、ハードウェアにおいて完全に実行してもよい。
【００３６】
さらに、図２がネットワークエンティティ２２０及びＵＥ２１０を含むシステムを例示しているが、特定の実施形態は、本明細書において例示して述べているように、他の構成及び追加要素を含んでいる構成に適用可能であり得る。例えば、複数のユーザ機器装置及び複数のネットワークエンティティは存在してもよく、または、同様の機能性を提供する他のノード、例えばユーザ機器及び中継ノードなどのネットワークエンティティの機能性を結合するノードであってもよい。ＵＥ２１０は、同様に通信ネットワークエンティティ２２０以外の通信のための各種の構成を備えていてもよい。例えば、ＵＥ２１０は、デバイス対デバイス、マシン対マシン及び／または車両対車両の送信のために構成することができる
【００３７】
上述の実施形態は、ネットワークの機能に対して、ならびに／またはユーザ機器及びネットワークの中に含まれるネットワークエンティティの機能に対して、著しい改善を提供することができる。具体的には、特定の実施形態によって、ユーザ機器は、アクティブであるか第１のアップリンクＢＷＰがランダムアクセスチャネルをサポートしていないときでも、ランダムアクセス手順を実行することができるようになり得る。ＵＥは、第１のアップリンクＢＷＰを、ランダムアクセスチャネルが構成されている第２のＢＷＰに切り替えることができる。そうすることは、スケジューリング要求にすでに失敗したＵＥ及び／またはランダムアクセス手順をすでにトリガーしたＵＥをネットワークがスケジューリングし得るというエラーを、防止するのを助ける。
【００３８】
このような誤ったスケジューリングを防止することは、ネットワークによって利用されるリソースを削減するのを助け、それにより、全体としてネットワークの効率及びスループットを大幅に向上させる。この効率の向上は、ネットワークの中に含まれるネットワークエンティティの機能を向上させるだけでなく、不必要な送信を防止することによって、ユーザ機器の機能も大幅に向上させる。例えば、ネットワークによる不必要な送信を減らすことは、ユーザ機器によって消耗するバッテリの量を減らすのを助けることができる。
【００３９】
本明細書の全体にわたって記載されている特定の実施形態の特徴、構造または特性は、１つ以上の実施形態に任意の好適な方法で組み込むことができる。例えば、本明細書の全体にわたる「特定の実施形態」、「いくつかの実施形態」、「他の実施形態」というフレーズまたは他の類似の言語の使用は、実施形態に関連して記載されている特定の特徴、構造または特性が本発明の少なくとも一実施形態に含まれ得るという事実を指す。したがって、本明細書の全体にわたる「特定の実施形態において」「いくつかの実施形態において」、「他の実施形態において」というフレーズまたは他の類似の言語の出現は、必ずしも同じグループの実施形態に関連するというわけではなく、記載されている特徴、構造または特性は、１つ以上の実施形態に任意の好適な方法で組み込むことができる。
【００４０】
当業者であれば、上述した本発明が異なる順序のステップによって、及び／または開示されている構成とは異なる構成のハードウェア要素によって実施することができると容易に理解する。したがって、本発明はこれらの好ましい実施形態に基づいて記載されているが、特定の修正、変形及び代替の構造が明らかであり、それと共に本発明の範囲内にとどまる、ということは当業者にとって明らかである。上述の実施形態の多くが３ＧＰＰ  ５ＧまたはＮＲ技術に関するものであるが、実施形態は、他のいかなる３ＧＰＰ技術にも、例えば第四世代（４Ｇ）、第三世代（３Ｇ）、ＬＴＥ、ＬＴＥ−Ａ及び／またはモノのインターネットにも適用することができる。
【００４１】
部分的用語集
３ＧＰＰ          第三世代パートナーシッププロジェクト
５Ｇ              第五世代
ＮＲ              新無線技術（Ｎｅｗ  Ｒａｄｉｏ）
ｇＮＢ            ＮＲノードＢ
ＵＥ              ユーザ機器
ＬＴＥ            ロングタームエボリューション
ＬＴＥ−Ａ        進化型ＬＴＥ
ＰＲＡＣＨ        物理ランダムアクセスチャネル
ＲＡ−ＲＮＴＩ    ランダムアクセス無線ネットワーク一時識別子
Ｃ−ＲＮＴＩ      セル無線ネットワーク一時識別子
ＲＲＣ            無線リソース制御
ＴＭＳＩ          一時移動加入者識別子
ＦＤＤ            周波数分割複信
ＢＷＰ            帯域幅部
ＴＤＤ            時分割複信
ＣＳＳ            共通サーチ空間
ＵＳＳ            ＵＥ特有サーチ空間
ＢＬＥＲ          ブロックエラー率
ＳＳＢ            同期信号ブロック
ＣＳＩ−ＲＳ      チャネル状態情報基準信号
ＰＣｅｌｌ        一次セル
ＰＳＣｅｌｌ      一次二次セル
ＴＡＧ            タイミングアドバンスグループ
【図１】
2021503260.tif 000003
【図２】
2021503260.tif 000004
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ユーザ機器でランダムアクセス手順をトリガーすることと、
前記ユーザ機器で、ランダムアクセスチャネルをサポートしない第１のアップリンク帯域幅部から、前記ランダムアクセス手順の前記トリガーの後に構成された前記ランダムアクセスチャネルを有する第２のアップリンク帯域幅部に切り替えることであって、前記切り替えることが前記ユーザ機器によって自律的に実行される、前記切り替えることと、
前記ユーザ機器で、前記第２のアップリンク帯域幅部で構成された前記ランダムアクセスチャネルを用いて前記ランダムアクセス手順を実行することと、
を備えている、方法。
【請求項２】
前記切り替えることは、前記ユーザ機器が、前記第１のアップリンク帯域幅部を自律的に非有効化させて前記第２のアップリンク帯域幅部を有効化させることを備える、請求項１に記載の方法。
【請求項３】
時間アライメントタイマーが満了したとみなされる、請求項１または２に記載の方法。
【請求項４】
前記時間アライメントタイマーが、前記第１のアップリンク帯域幅部と前記第２のアップリンク帯域幅部とのうちの少なくとも１つを備えている時間アライメントグループと関連付けられている、請求項３に記載の方法。
【請求項５】
前記ユーザ機器で、前記第１のアップリンク帯域幅部から前記第２のアップリンク帯域幅部への前記切替えと共にアクティブダウンリンク帯域幅部を切り替えることをさらに備えている、請求項１から４のいずれかに記載の方法。
【請求項６】
前記第１のダウンリンク帯域幅部の前記切替えは、前記トリガーされたランダムアクセス手順が競合ベースのランダムアクセス手順または競合無しのランダムアクセス手順のうちの少なくとも１つであるときに発生する、請求項５に記載の方法。
【請求項７】
前記ユーザ機器で、前記ランダムアクセス手順の一部としてネットワークエンティティから競合解決メッセージを受信することであって、前記第１のアップリンク帯域幅部または前記ダウンリンク帯域幅部のうちの少なくとも１つの前記切替えが前記競合解決メッセージの前記受信に応じて発生する、前記受信することをさらに備えている、請求項１から６のいずれかに記載の方法。
【請求項８】
前記ユーザ機器で、前記ネットワークエンティティから構成指示を受信することと、
前記構成指示に基づいて前記第２のアップリンク帯域幅部を複数の帯域幅部から選択することと、
をさらに備えている、請求項１から７のいずれかに記載の方法。
【請求項９】
前記複数の帯域幅部が単一セルの中で前記ユーザ機器に構成される、請求項８に記載の方法。
【請求項１０】
前記ユーザ機器で、前記ユーザ機器の実装、デフォルトまたは初期帯域幅部、前記ランダムアクセス手順をトリガーする論理チャネル、または前記論理チャネルの優先度のうちの少なくとも１つに基づいて、前記第２のアップリンク帯域幅部を選択することをさらに備えている、請求項１から９のいずれかに記載の方法。
【請求項１１】
前記ユーザ機器によって、数秘学または前記ランダムアクセスチャネルの周波数のうちの少なくとも１つに基づいて、前記第２のアップリンク帯域幅部を選択することをさらに備えている、請求項１から１０のいずれかに記載の方法。
【請求項１２】
前記ネットワークエンティティが一次セルまたは二次セルに含まれ得る、請求項１から１１のいずれかに記載の方法。
【請求項１３】
前記ユーザ機器が前記ランダムアクセス手順の前記トリガーの間、無線リソース制御接続状態である、請求項１から１２のいずれかに記載の方法。
【請求項１４】
前記ランダムアクセス手順の前記トリガーが、前記ユーザ機器によってビーム障害が検出された後に発生する、請求項１から１３のいずれかに記載の方法。
【請求項１５】
少なくとも１つのプロセッサと、
コンピュータプログラムコードを含んでいる少なくとも１つのメモリとを備えている装置であって、
前記少なくとも１つのメモリ及び前記コンピュータプログラムコードは、前記少なくとも１つのプロセッサによって、前記装置に、少なくとも、プロセスを実行させるように構成され、
前記プロセスは、
ランダムアクセス手順をトリガーすることと、
ランダムアクセスチャネルをサポートしない第１のアップリンク帯域幅部から、前記ランダムアクセス手順の前記トリガーの後に構成された前記ランダムアクセスチャネルを有する第２のアップリンク帯域幅部に切り替えることであって、前記切り替えることが前記装置によって自律的に実行される、前記切り替えることと、
前記第２のアップリンク帯域幅部を使用して前記ランダムアクセス手順を実行することと、
を備えている、前記装置。
【請求項１６】
前記切り替えることが前記第１のアップリンク帯域幅部を自律的に非有効化させて、前記第２のアップリンク帯域幅部を有効化させる前記装置を備える、請求項１５に記載の装置。
【請求項１７】
前記少なくとも１つのメモリ及び前記コンピュータプログラムコードが、前記少なくとも１つのプロセッサによって、前記装置に、少なくとも、
前記第１のアップリンク帯域幅部から前記第２のアップリンク帯域幅部への前記切替えと共にアクティブダウンリンク帯域幅部を切り替えさせるように構成されている、請求項１５または１６に記載の装置。
【請求項１８】
前記少なくとも１つのメモリ及び前記コンピュータプログラムコードが、前記少なくとも１つのプロセッサによって、前記装置に、少なくとも、
ネットワークエンティティから構成指示を受信させ、
前記構成指示に基づいて前記第２のアップリンク帯域幅部を複数の帯域幅部から選択させるように構成されている、請求項１５から１７のいずれかに記載の装置。
【請求項１９】
前記少なくとも１つのメモリ及び前記コンピュータプログラムコードが、前記少なくとも１つプロセッサによって、前記装置に、少なくとも、
前記装置の実装、デフォルトもしくは初期帯域幅部、前記ランダムアクセス手順をトリガーする論理チャネル、または前記論理チャネルの優先度のうちの少なくとも１つに基づいて、前記第２のアップリンク帯域幅部を選択させるように構成されている、請求項１５から１８のいずれかに記載の装置。
【請求項２０】
前記装置が前記ランダムアクセス手順の前記トリガーの間、無線リソース制御接続状態である、請求項１５から１９のいずれかに記載の装置。
【請求項２１】
少なくとも１つのプロセッサと、
コンピュータプログラムコードを含んでいる少なくとも１つのメモリとを備えている装置であって、
前記少なくとも１つのメモリ及び前記コンピュータプログラムコードは、前記少なくとも１つのプロセッサを用いて、前記装置に、少なくとも、請求項３、４、６、７、９及び１１から１４のいずれかに記載の方法を含んでいるプロセスを実行させるように構成されている、前記装置。
【請求項２２】
ハードウェアにおいて実行されると、プロセスを実行する命令でコード化された、非一時的コンピュータ可読媒体であって、
前記プロセスは、請求項１から１４のいずれかに記載の方法を含んでいる、
前記非一時的コンピュータ可読媒体。
【請求項２３】
請求項１から１４のいずれかに記載の方法を含んでいるプロセスを実行するための手段を備えている装置。
【請求項２４】
請求項１から１４のいずれかに記載の方法を含んでいるプロセスを実行する命令でコード化された、コンピュータプログラム製品。
【請求項２５】
非一時的コンピュータ可読媒体に実装されており、ハードウェアにおいて実行されると請求項１から１４のいずれかに記載の方法を含んでいるプロセスを実行する命令でコード化された、コンピュータプログラム製品。
【国際調査報告】
2021503260.tif 000005
2021503260.tif 000006